(57)【要約】【解決課題】記録及びダビングに失敗した場合にバッテリーの消費を抑え、無駄な電力消費を防止する。【解決手段】情報記録再生装置は、外部からの映像或いは音声信号を処理する信号処理部と、信号処理部により作成された情報を圧縮するエンコード部と、エンコード部で圧縮された情報を記録する第１の記録媒体と、外部の第１の電源と接続する接続部と、第１の電源と異なる内部の第２の電源と、第１の記録媒体への圧縮された情報の記録動作が第２の電源のみで動作しているときに、圧縮された情報の第１の記録媒体への書き込み失敗を検出すると、第２の電源からの電力供給を止める制御部とを備える。【選択図】図１
2009151867.tif 000002
【特許請求の範囲】
【請求項１】
外部からの映像或いは音声信号を処理する信号処理部と、
前記信号処理部により作成された情報を圧縮するエンコード部と、
前記エンコード部で圧縮された情報を記録する第１の記録媒体と、
外部の第１の電源と接続する接続部と、
前記第１の電源と異なる内部の第２の電源と、
前記第１の記録媒体への前記圧縮された情報の記録動作が前記第２の電源のみで動作しているときに、前記圧縮された情報の前記第１の記録媒体への書き込み失敗を検出すると、前記第２の電源からの電力供給を止める制御部と、
を備えることを特徴とした情報記録再生装置。
【請求項２】
前記第１の記録媒体と異なる第２の記録媒体を備え、
前記制御部は、前記第１の記録媒体への記録動作及び前記前記第２の記録媒体への記録動作が前記第２の電源のみで同時に動作しているときに、前記第１の記録媒体又は／且つ前記第２の記録媒体への書き込み失敗を検出すると、前記第２の電源からの電力供給を止めることを特徴とする請求項１記載の情報記録再生装置。
【請求項３】
情報を表示する表示部を備え、
前記制御部は、前記書き込み失敗をと検出したとき、前記表示部に前記記録の失敗の注意を喚起する情報を表示することを特徴とする請求項１記載の情報記録再生装置。
【請求項４】
前記制御部は、前記書き込み失敗を検出したとき、前記第１の記録媒体に記憶された前記圧縮された情報からなるコンテンツを修復することを特徴とする請求項１記載の情報記録再生装置。
【請求項５】
情報を表示する表示部と、
前記書き込み失敗に関するエラー情報を記憶するエラー情報記憶部とを備え、
前記制御部は、起動時に前記エラー情報記憶部に前記エラー情報を記憶しているとともに、そのエラー情報が示す内容が前記第２の電源のみで動作している場合の書き込み失敗によるものであるとき、前記表示部に前記圧縮されたデータからなるコンテンツの修復を促す表示を行うことを特徴とする請求項１記載の情報記録再生装置。
【請求項６】
前記第２の電源は、バッテリーであることを特徴とする請求項１記載の情報記録再生装置。
【請求項７】
前記第１の記録媒体はハードディスク、光ディスク及びフラッシュメモリのいずれかであり、前記第２の記録媒体はハードディスク、光ディスク及びフラッシュメモリのいずれかであることを特徴とする請求項２記載の情報記録再生装置。
【請求項８】
外部からの映像或いは音声信号を処理する信号処理部と、
前記信号処理部により作成された情報を圧縮・伸張する記録再生信号処理部と、
前記記録再生信号処理部で圧縮された情報を記録する第１の記録媒体と、
前記圧縮された情報を記録する前記第１の記録媒体と異なる第２の記録媒体と、
外部の第１の電源と接続する接続部と、
前記第１の電源と異なる内部の第２の電源と、
前記第１の記録媒体に記録された前記圧縮された情報の前記記録再生信号処理部による再生動作と前記第２の記録媒体への記録動作が前記第２の電源のみで同時に動作しているときに、前記圧縮された情報の前記第２の記録媒体への書き込み失敗を検出すると、前記第２の電源からの電力供給を止める制御部と、
を備えることを特徴とした情報記録再生装置。
【請求項９】
情報を表示する表示部を備え、
前記制御部は、前記書き込み失敗を検出すると、前記表示部に前記記録の失敗の注意を喚起する表示を行うことを特徴とした請求項８記載の情報記録再生装置。
【請求項１０】
前記制御部は、前記書き込み失敗を検出すると、前記第１の記録媒体に記録された前記圧縮されたデータの再生及び前記データの前記第２の記録媒体へ記録を再度実行することを特徴とする請求項８記載の情報記録再生装置。
【請求項１１】
情報を表示する表示部と、
前書き込み失敗に関するエラー情報を保持するエラー情報記憶部とを備え、
前記制御部は、起動時に前記エラー情報記憶部に前記エラー情報を記憶しているとともに、そのエラー情報が示す内容が前記第２の電源のみで動作している場合で前記第１の記録媒体の前記再生動作と前記第２の記録媒体への記録動作が同時に行われている場合の書き込み失敗によるものであるとき、前記表示部に再度前記再生動作及び前記記録動作を実行することを促す表示を行うことを特徴とする請求項８記載の情報記録再生装置。
【請求項１２】
前記第２の電源はバッテリーであることを特徴とする請求項８記載の情報記録再生装置。
【請求項１３】
前記第１の記録媒体は、ハードディスク、光ディスク及びフラッシュメモリのいずれかであり、前記第２の記録媒体は、ハードディスク、光ディスク及びフラッシュメモリのいずれかであることを特徴とする請求項８記載の情報記録再生装置。
【発明の詳細な説明】
【技術分野】
【０００１】
本発明は、情報記録再生装置及びその省電力化方法に関し、特にバッテリー駆動時における省電力化に関する情報記録再生装置に適用しても好適なものである。
【背景技術】
【０００２】
ＨＤＤ（Hard Disk Drive）／ＤＶＤ(Digital Versatile Disk)のコンビネーションカメラで、バッテリー駆動時において、ハードディスクに記録する際は光ディスクドライブの動作を停止させ、光ディスクに記録する際はハードディスクの動作を停止させる省電力制御に関する方法がある。この例としては、特許文献１がある。
【０００３】
また、ビデオカメラにおいて、電源オンモード、電源オフモードとは別に省電力モードを設け、撮影者の意志によりバッテリーを節約する方法がある。この例としては特許文献２がある。
【特許文献１】特開２００６−２８６０３４号公報
【特許文献２】特開２００７−２１５２４６号公報
【発明の開示】
【発明が解決しようとする課題】
【０００４】
昨今、ビデオカメラの記録媒体としてＤＶＤ及びＢｌｕ−ｒａｙ  Ｄｉｓｃなどの光ディスクメディアやＨＤＤ、さらにはＳＤメモリカード等のフラッシュメモリなどを採用した製品が市場に登場している。光ディスクメディアやフラッシュメモリを記録媒体にした製品は記録したコンテンツを外に持ち出すことが容易に出来る反面、記録時間が他メディアに対して短いという欠点がある。一方、大容量なＨＤＤを記録媒体にした製品では記録時間は長いが、コンテンツを機器の外に持ち出すのに不向きである。
【０００５】
前記の欠点を補うために、例えば、ＨＤＤと光ディスクドライブを両方搭載したカメラも考えられる。こうすることで長時間撮影時はＨＤＤで記録を行い、コンテンツを機器の外に持ち出す場合には光ディスクへ記録することができる。又、ＨＤＤに長時間撮影したコンテンツを必要な時に光ディスクへダビングするという使用方法を提供することができる。
【０００６】
ＨＤＤと光ディスクドライブを両方搭載したコンビネーションカメラでは、ＨＤＤ或いは光ディスクドライブ単体を搭載したカメラに比べて、消費電力を考慮しなければならない。基本的にカメラはバッテリー駆動のため、ＨＤＤと光ディスクの両方のドライブを動かすとバッテリーの消費が大きい。特にＨＤＤから光ディスクへのダビングは必ずＨＤＤと光ディスクのどちらのドライブも動作させる必要があるので、バッテリーの減少を早める。
【０００７】
一方で、光ディスクメディアへの通常記録或いはＨＤＤから光メディアへのダビング時には光ピックアップに付着したごみ、及び光ディスクに付着したごみや傷等が原因で記録時に書き込み不良を起こす場合がある。又、カメラ等携帯して使用する機器では振動によって書き込み不良を起こす場合も考えられる。
【０００８】
一般に通常記録の場合は使用者が常にカメラのそばにいることが多いと考えられるため、記録が停止した場合はすぐにメディアの入れ替えや記録し直し等の処置をとることが可能であるが、ＨＤＤに長時間記録したコンテンツを光ディスクにダビングする場合は、光ディスクドライブの性能にもよるが、コンテンツの記録時間と同等程度の時間を要することが多く、又、再エンコードしなければならない場合などはダビング元のコンテンツの倍近いダビング時間がかかってしまう場合もある。そのため使用者が機器のそばから離れてしまう可能性が高く、前記の要因でダビングに失敗した場合、使用者がダビング失敗に気づかずバッテリーを消費し続けてしまうという問題があった。
【０００９】
本発明は、記録及びダビングに失敗した場合にバッテリーの消費を抑え、無駄な電力消費を防止する情報記録再生装置及び情報記録方法を提案しようとするものである。
【課題を解決するための手段】
【００１０】
本発明は、外部からの映像或いは音声信号を処理する信号処理部と、信号処理部により作成された情報を圧縮するエンコード部と、エンコード部で圧縮された情報を記録する第１の記録媒体と、外部の第１の電源と接続する接続部と、第１の電源と異なる内部の第２の電源と、第１の記録媒体への圧縮された情報の記録動作が第２の電源のみで動作しているときに、圧縮された情報の第１の記録媒体への書き込み失敗を検出すると、第２の電源からの電力供給を止める制御部とを備える情報記録再生装置である。
【発明の効果】
【００１１】
本発明によれば、記録及びダビングに失敗した場合にバッテリーの消費を抑え、無駄な電力消費を防止できる情報記録再生装置を提供できる。
【発明を実施するための最良の形態】
【００１２】
以下、本発明の各実施形態について図面を参照して説明する。なお、以下に説明する各実施形態では、本発明の情報記録再生装置をビデオカメラに適用した場合で説明するが、本発明はビデオカメラに限られず、例えば、ＨＤＤ及びＤＶＤを搭載したレコーダのように映像情報或いは音声情報を記録、再生できる装置に適用できるものである。
【００１３】
（第１の実施形態）
図１はビデオカメラ１００の概略構成を示す図である。ビデオカメラ１００は、レンズ１、撮像素子２、カメラＤＳＰ（Digital Signal Processor）３、記録再生信号処理回路４、制御部５、不揮発性メモリ６、マイク７、液晶ディスプレイ８、光ディスクドライブ９、ＨＤＤ１０を有している。なお、ビデオカメラ１００は、電源に関する回路等も有しているが、電源に関する説明については図３を用いて後述する。
【００１４】
記録時、レンズ１から取り込まれた被写体像は撮像素子２で映像信号に変換される。カメラＤＳＰ３はその映像信号を記録再生信号処理回路４で扱える形式の映像データに変換する処理を行う。又、カメラＤＳＰ３はマイク７から入力される音声信号を記録再生信号処理回路４で扱える形式の音声データに変換する。
【００１５】
記録再生信号処理回路４はカメラＤＳＰ３からの音声及び映像データをＨＤＤ９又は、光ディスクドライブ９に収納されるＤＶＤ或いはＢｌｕ−ｒａｙディスク等の光ディスクメディアへ記録するための圧縮・符号化等の処理を行う。又、記録再生信号処理回路４は液晶ディスプレイ８に表示する文字情報などのグラフィック描画処理も行う。又、再生時にはＨＤＤ１０或いは光ディスクドライブ９から再生された記録データを記録再生信号処理回路４によって映像データへとデコード処理する。デコードされた映像データはグラフィック描画機能によって液晶ディスプレイ８に表示される。
【００１６】
制御部５はビデオカメラ１００全体の統括制御をつかさどる制御マイコンからなる。すなわち、制御部５は、上述したビデオカメラ１００内の各部の制御やシステム全体の統括管理を行う。具体的には、ＨＤＤ１０及び光ディスクドライブ９への記録失敗或いはダビング失敗を検出する機能、不揮発性メモリ６に記録失敗或いはダビング失敗に関するエラー情報を読み書きする機能、ＨＤＤ１０及び光ディスクドライブ９の光ディスクメディアに記録されたコンテンツの修復機能、記録時間、システム起動時間等を計測するタイマー機能などが管理される。
【００１７】
図２は、制御部５の有する記録失敗或いはダビング失敗を検出する機能及び電源を監視する機能を説明するための図である。制御部５は、記録再生信号管理部１１、ディスク状態管理部１２及び電源監視部１３などを有している。また、ディスク状態管理部１２は、ダビング完了比率算出部１２Ａを有している。このダビング完了比率算出部１２Ａは、ＨＤＤ１０に記録された所定のコンテンツを光ディスクドライブ９内の光ディスクメディアへダビングする際に、ダビングが完了した比率を随時算出する処理を行う。
【００１８】
記録再生信号管理部１１及びディスク状態管理部１２は、記録失敗及びダビング失敗をそれぞれ検出する。記録再生信号管理部１１は記録再生信号処理回路４を制御する。又、ディスク状態管理部１２はＨＤＤ１０及び光ディスクドライブ９を制御する。
【００１９】
記録再生信号処理回路４は映像信号と音声信号を重畳して動画コンテンツを生成する機能を有するが、エンコード処理した映像信号のＧＯＰ（Ｇｒｏｕｐ  ｏｆ  Ｐｉｃｔｕｒｅ）数と重畳したＧＯＰ数の差異が所定の数より大きくなった場合に書き込みエラーと判断する。ＧＯＰ数の差異最大値は、記録再生信号処理回路４が内部に持つバッファにおいてオーバーフローが起きない程度に設定する。
【００２０】
ディスク状態管理部１２は、ＨＤＤ１０及び光ディスクドライブ９からの書き込み応答が所定の時間以上経過した場合に書き込みエラーと判断する。
【００２１】
電源監視部１３は、ビデオカメラ１００内の電源の状態を監視する。この電源を監視する機能については、図３を参照して詳細に説明する。図３はビデオカメラ１００の電源供給の流れについて示す図である。
【００２２】
図３に示す２０は外部電源、２１は充電回路、２２はバッテリー、１３は電源監視部、２４は電源回路である。外部電源２０から電力供給を行っている場合、バッテリー２２へ充電回路２１を用いて充電する。
【００２３】
外部電源からの電力供給がある場合、充電回路２１から電源回路２４を介してビデオカメラ１００へ電力を供給する。外部電源２０からの電力供給が無い場合、バッテリー２２からの電力を電源回路２４を介してビデオカメラ１００へ供給する。電源監視部１３はビデオカメラ１００が外部電源２０からの電力供給で動作しているか、バッテリー２２からの電力供給で動作しているかを判定する。
【００２４】
次に、記録又はダビング中に制御部５の実行する処理について説明する。図４は、この処理を示すフローチャートである。
【００２５】
ステップＳ１０１において、制御部５は、記録又はダビング中にエラーが発生したか否かの判定を行なう。エラーが発生したと判定されなければ（Ｓ１０１：ＮＯ）、記録又はダビングの処理を継続する。エラーが発生したと判定されると（Ｓ１０１：ＹＥＳ）、ステップＳ１０２において、制御部５は、記録又はダビング失敗の表示処理を行う。この表示処理は、液晶ディスプレイ８に、使用者にエラー発生の旨とシステム再起動を促すメッセージを表示する処理である。これにより、使用者がビデオカメラ１００の近傍にいる場合は、このメッセージ表示によって再起動後、もう一度記録することや、再度ダビングを実行するといった処置をとることが可能となる。
【００２６】
次に、ステップＳ１０３において、制御部５は、バッテリー２２による電力供給によって動作しているか否かを電源監視部１３の監視結果によって判定する。バッテリー２２による電力供給でない場合、すなわち、外部電源２０による電力供給によって動作していると判定された場合は（Ｓ１０３：ＮＯ）、そのままの状態を保つ。つまり、液晶ディスプレイ８にエラーメッセージを表示させた状態を保つ。
【００２７】
一方、バッテリー２２による電力供給によって動作していると判定された場合は（Ｓ１０３：ＹＥＳ）、ステップＳ１０４において、制御部５は、一定時間経過したか否かを判定する。すなわち、制御部５は、エラーメッセージ表示時間が一定時間を経過したか否かを判定する。経過時間が所定のエラー表示時間に満たなければ（Ｓ１０４：ＮＯ）、液晶ディスプレイ８にエラーメッセージを表示させた状態を保つ。経過時間が所定のエラーメッセージ表示時間を超えた場合（Ｓ１０４：ＹＥＳ）、ステップＳ１０５において、制御部５は、液晶ディスプレイ８に電源が自動でオフになる旨の警告メッセージを表示する。この警告メッセージによりビデオカメラ１００の使用者に注意を喚起することができる。なお、このエラーメッセージ表示時間は、使用者に設定させても良いし、あらかじめ１０分等の固定時間を設定しても良い。
【００２８】
上述のステップＳ１０３からＳ１０５のように電源の種類によって処理を分けている理由は、ＡＣアダプタのような外部電源の場合は、停電しない限り途中で電力供給が途切れることは無いが、バッテリー２２の場合は出来るだけ電力消費を減らした方が長時間使用できるため、別処理とすることで使い勝手が良くなるからである。
【００２９】
次に、ステップＳ１０６において、制御部５は、一定時間が経過したか否かを判定する。
経過時間が所定の警告メッセージ表示時間を経過していないと判定されると（Ｓ１０６：ＮＯ）、メッセージ表示状態を保つ。経過時間が所定の警告メッセージ表示時間を経過していると判定されると（Ｓ１０６：ＹＥＳ）、ステップＳ１０７において、制御部５は、不揮発性メモリ６に対し記録エラー又はダビングエラーの情報を書き込む。そして、ステップＳ１０８において、制御部５は、ビデオカメラ１００のバッテリー２２の電源をオフにする。
【００３０】
以上の処理により、記録失敗やダビング失敗した場合に、使用者がビデオカメラ１００のそばにいなくても無駄な電力を消費せずに済み、バッテリー２２の電力を節約することが可能である。
【００３１】
一方、記録エラー及びダビングエラー発生時、前記の処理で電源がオフになった場合、使用者は希望の記録処理或いはダビング処理に成功したか失敗したかを把握できない可能性が高い。特に光ディスクドライブ９への記録或いはダビングの場合、処理が成功したと勘違いして光ディスクメディアをＥＪＥＣＴしてしまうと、再びその光ディスクメディアを光ディスクドライブ９に入れない限り記録失敗或いはダビング失敗に気が付かず、ユーザにとって不都合となる。したがって、ビデオカメラ１００の電源をオンにした際に直前に使用した際の記録失敗或いはダビング失敗を使用者に通知することが望ましい。
【００３２】
次に、ビデオカメラ１００の電源がＯＮになったときの起動時に制御部５が実行する処理について説明する。
【００３３】
先ず、ステップＳ２０１において、制御部５は、不揮発性メモリ６に記憶されているエラー情報を参照する。そして、ステップＳ２０２において、制御部５は、エラーありか否かを判定する。すなわち、不揮発性メモリ６にエラー情報が記憶されているか否かが判定される。エラー情報がないと判定された場合は（Ｓ２０２：ＮＯ）、ステップＳ２１２において、制御部５は通常起動を実行する。
【００３４】
エラー情報があると判定された場合は（Ｓ２０２：ＹＥＳ）、ステップＳ２０３において、制御部５は、エラー情報が示す内容がダビングエラーか否かを判定する。なお、ダビングエラーはＨＤＤ１０から光ディスクドライブ９へのダビング時に発生するエラーである。また、エラー情報がダビングエラーでない場合は、光ディスクドライブ９又はＨＤＤ１０への記録時に発生する通常記録時のエラーである。
【００３５】
ステップＳ２０３においてダビングエラーであると判定された場合は（Ｓ２０３：ＹＥＳ）、ステップＳ２０４において、制御部５は、液晶ディスプレイ８にダビングに失敗した旨と、ダビングを再試行するかどうかの質問メッセージを表示する。これにより、使用者にダビングを再試行するか否かの選択を促すことができる。また、ステップＳ２０５において、制御部５は、不揮発性メモリ６に記憶されたエラー情報を削除する。
【００３６】
そして、ステップＳ２０６において、液晶ディスプレイ８に表示した質問メッセージに対する使用者からの指示に基づいて、制御部５はダビングリトライを行なうか否かを判定する。ダビングリトライを行なうと判定された場合は（Ｓ２０６：ＹＥＳ）、ステップＳ２０７において、制御部５はダビング処理を実行する。また、ダビングリトライを行なわないと判定された場合は（Ｓ２０６：ＮＯ）、ステップＳ２１２において、制御部５は通常起動を実行する。
【００３７】
一方、通常記録時のエラーであると判定された場合は（Ｓ２０３：ＮＯ）、ステップＳ２０８において、制御部５は、液晶ディスプレイ８に記録失敗した旨と、修復処理を行うかどうかの質問メッセージを表示する。これにより、使用者に修復修理を行なうか否かの選択を促すことができる。また、ステップＳ２０９において、制御部５は、不揮発性メモリ６に記憶されたエラー情報を削除する。
【００３８】
そして、ステップＳ２１０において、液晶ディスプレイ８に表示した質問メッセージに対する使用者からの指示に基づいて、制御部５は記録データの修復をするか否かを判定する。記録データの修復をすると判定された場合は（Ｓ２１０：ＹＥＳ）、ステップＳ２１１において、制御部５は、記録が完了した記録データの修復処理を行う。また、記録データの修復をしないと判定された場合は（Ｓ２１０：ＮＯ）、ステップＳ２１２において、制御部５は通常起動を行なう。一般的に修復処理は或る程度の時間を要する処理なので、修復を自動で行わず使用者に選択させることで、ビデオカメラ１００の使い勝手が向上する。
【００３９】
図５を参照して説明した処理を実行することにより、ビデオカメラ１００は、使用者が記録失敗及びダビング失敗に気づかないまま電源が切れた場合でも、起動時にエラー内容を通知することで、記録失敗及びダビング失敗に対処することができる。
【００４０】
次に、図６から図９を参照して、ステップＳ１０２，Ｓ１０５，Ｓ２０４，Ｓ２０８で液晶ディスプレイ８に表示されるメッセージの例を示す。液晶ディスプレイ８にはメッセージ内容３１、３４、３５、３７、記録モードや撮影時間等のその他の情報３２、ダビング失敗の場合はダビング完了比率３３、使用者に選択を促す場合は選択ボックス３６が表示される。
【００４１】
図６ではダビングに失敗した直後の場合を示し、メッセージ内容３１として「ダビングに失敗しました。電源を入れ直してください。」と表示している。図７ではダビングに失敗した後、所定の時間が経過した場合を示し、メッセージ内容３４として「バッテリー節約の為、１分以内に電源オフにします。」と表示している。図８ではシステム再起動後、不揮発性メモリ６に記憶されているエラー情報が存在する場合を示し、ダビング失敗のメッセージ内容３５として、「前回のダビングに失敗しました。再試行しますか？」と表示している。使用者は選択ボックス３６の“ＹＥＳ”か“ＮＯ”どちらかを選択する。図９では再起動後、不揮発性メモリ６に記憶されているエラー情報が存在する場合を示し、通常記録失敗のメッセージ内容３７として、「前回の記録に失敗しました、修復しますか？」と表示している。使用者は選択ボックス３６の“ＹＥＳ”か“ＮＯ”どちらかを選択する。
【００４２】
ダビング完了比率３３を表示する理由は、ほとんどダビングが完了している場合、再度最初からダビングをやり直すより、修復処理を実行したほうが完了までの時間が早い可能性があるため、ダビングやり直し処理か修復処理かを使用者が判断したほうが使い勝手が良いからである。
【００４３】
この第１の実施形態によると、ビデオカメラ１００は、図４、図５を参照して説明した記録エラー又はダビングエラーが起きた場合の省電力制御処理を行うことにより、記録及びダビング処理を続けたままビデオカメラ１００が放置されても電力の無駄な消費を防ぐことが出来る。
【００４４】
又、ビデオカメラ１００で記録エラー又はダビングエラーが起きた場合に、図６から図９を用いて説明したメッセージを表示することとしている。このようなメッセージ表示を液晶ディスプレイ８に行うことで、使用者が近くにいる場合はエラー内容をすぐに確認することができ、また、ビデオカメラ１００を放置して使用者が離れている場合も、省電力化することが可能である。
【００４５】
又、例えば、使用者が記録失敗及びダビング失敗に気づかないままビデオカメラ１００の電源がオフになった場合でも、起動時にエラー内容を確認できるため、使用者の使い勝手が向上するという効果がある。
【００４６】
なお、上記第１の実施形態１で示した図１、図２のビデオカメラ１００の構成、及び図３で示した電源の供給手段は、あくまで一例であり、図１乃至図３で示す構成の配置を限定するものではない。
【００４７】
又、図４及び図５で示した、記録或いはダビングエラー発生時の電力制御手法、処理の遷移はあくまで一例であり、処理内容を限定するものではない。処理の項目数の増減等は構わないこととする。
【００４８】
又、図６から図９で示した、記録或いはダビングエラー発生時の表示情報はあくまで一例であり、表示内容を限定するものではない。例えば、自分で設定したメッセージを表示しても良いし、開発者があらかじめ設定したメッセージのみを使用しても良い。
【００４９】
（第２の実施形態）
次に第２の実施形態について説明する。この第２の実施形態は上記第１の実施形態のビデオカメラ１００に液晶ディスプレイ８を有していない場合、すなわち、情報記録再生装置が表示装置を有していない場合の実施形態である。なお、以下では第１の実施形態と異なる省電力制御について説明することとし、他の部分については説明を省略することとする。
【００５０】
図１０は、第２の実施形態の省電力制御の処理を示すフローチャートである。この処理は、記録中又はダビング中に実行される処理である。
【００５１】
ステップＳ３０１において、制御部５は、記録エラー又はダビングエラーが発生したか否かを判定する。エラーが発生したと判定されなければ（Ｓ３０１：ＮＯ）、記録又はダビングの処理を継続する。エラーが発生したと判定されると（Ｓ３０１：ＹＥＳ）、ステップＳ３０２において、制御部５は、発生したエラーがダビングエラーか否かを判定する。ダビングエラーであると判定された場合は（Ｓ３０２：ＹＥＳ）、ステップＳ３０３において、制御部５はダビング処理を実行する。また、ダビングエラーでないと判定された場合（Ｓ３０２：ＮＯ）、すなわち、通常記録時のエラーである場合は、ステップＳ３０４において、制御部５は、通常記録時にエラーが発生した場合は記録が完了した位置まで修復処理を行う。
【００５２】
この第２の実施形態によると、情報記録再生装置が表示装置を有していないため、使用者に再度ダビングを行なうか、通常記録を行なうかの選択を促すことができないが、エラーが発生したときにエラーに対応して自動的に記録の修復又はダビングの再試行を行なうことにより、表示装置のない安価な情報記録再生装置にも省電力制御を適用することができ、使用者の使い勝手を良くすることができる。
【００５３】
（他の実施形態）
なお、上記各実施形態では、本発明を、外部からの映像或いは音声信号を処理するカメラＤＳＰ３と、カメラＤＳＰ３により作成された情報を圧縮する記録再生信号処理回路４と、記録再生信号処理回路４で圧縮された情報を記録するＨＤＤ１０又は光ディスクドライ９内の光ディスクメディアと、外部電源２０と接続する充電回路２１と、バッテリー２２と、ＨＤＤ１０又は光ディスクドライ９内の光ディスクメディアへ圧縮された情報への圧縮された情報の記録動作がバッテリー２２のみで動作しているときに、圧縮された情報のＨＤＤ１０又は光ディスクドライ９内の光ディスクメディアへの書き込み失敗を検出すると、バッテリー２２からの電力供給を止める制御部５とを備えるビデオカメラ１００に適用した場合で説明したが、本発明はこの構成に限られるものではない。
【００５４】
また、上記各実施形態では、本発明を、外部からの映像或いは音声信号を処理するカメラＤＳＰ３と、カメラＤＳＰ３により作成された情報を圧縮・伸張する記録再生信号処理回路４と、録再生信号処理回路４で圧縮された情報を記録するＨＤＤ１０と、圧縮された情報を記録する光ディスクドライブ９内の光ディスクメディアと、外電源２０と接続する充電回路２１と、バッテリー２２と、ＨＤＤ１０記録された圧縮された情報の記録再生信号処理回路４による再生動作と光ディスクドライブ９内の光ディスクメディアへの記録動作が前記第２の電源のみで同時に動作しているときに、圧縮された情報の光ディスクドライブ９内の光ディスクメディアへの書き込み失敗を検出すると、バッテリー２２からの電力供給を止める制御部５とを備えるビデオカメラ１００に適用した場合で説明したが、本発明はこれに限られるものではない。
【図面の簡単な説明】
【００５５】
【図１】本発明の第１の実施形態に係わる情報記録再生装置の構成を示すブロック図である。
【図２】同実施形態に係わる制御部の機能を説明するためのブロック図である。
【図３】同実施形態に係わる電源供給の方法を説明するための図である。
【図４】同実施形態に係わる電源をＯＦＦする際の処理を示すフローチャートである。
【図５】同実施形態に係わる起動時の処理を示すフローチャートである。
【図６】同実施形態に係わる表示部の表示例を示す図である。
【図７】同実施形態に係わる表示部の表示例を示す図である。
【図８】同実施形態に係わる表示部の表示例を示す図である。
【図９】同実施形態に係わる表示部の表示例を示す図である。
【図１０】本発明の第２の実施形態に係わる
【符号の説明】
【００５６】
１・・・レンズ
２・・・撮像素子
３・・・カメラＤＳＰ
４・・・記録再生信号処理回路
５・・・制御部
６・・・不揮発性メモリ
７・・・マイク
８・・・液晶ディスプレイ
９・・・光ディスクドライブ
１０・・・ＨＤＤ
１１・・・記録再生信号管理部
１２・・・ディスク状態管理部
１２Ａ・・ダビング完了比率算出部
１３・・・電源監視部
２０・・・外部電源
２１・・・充電回路
２２・・・バッテリー
２３・・・電源監視部
２４・・・電源回路
３１，３４，３５，３７・・・メッセージ
３２・・・その他の情報
３３・・・ダビング完了比率
３６・・・選択ボックス
【図１】
2009151867.tif 000003
【図２】
2009151867.tif 000004
【図３】
2009151867.tif 000005
【図４】
2009151867.tif 000006
【図５】
2009151867.tif 000007
【図６】
2009151867.tif 000008
【図７】
2009151867.tif 000009
【図８】
2009151867.tif 000010
【図９】
2009151867.tif 000011
【図１０】
2009151867.tif 000012